(57)【要約】【課題】防火扉を閉鎖する際の高荷重や衝撃荷重を受けても誤動作を起こしにくい防火扉用自動閉鎖装置を提供する。【解決手段】防火扉２０に設けた係合金具４を拘束するフックプレート２と、このフックプレート２で係合金具４を拘束した状態に保持するため、弾性力を作用させたリンク部材３１，３２を設けたラッチレバー３０を有したラッチ機構３とを備えた防火扉用自動閉鎖装置Ｒにおいて、リンク部材３１，３２は、それらのリンク軸３１ａ，３１ｂ，３２ａに、ばね材を巻き付けて、上記ソレノイドの移動方向と反抗する方向に弾性力を付与させた構造にしている。【選択図】図１
2005320824.tif 000002
【特許請求の範囲】
【請求項１】
防火扉に設けた係合金具を拘束するフックプレートと、このフックプレートで係合金具を拘束した状態に保持するため、バネを作用させ、ソレノイドで駆動されるリンク部材を設けたラッチレバーを有したラッチ機構とを備えた防火扉用自動閉鎖装置において、
上記リンク部材は、それらのリンク軸に、ばね材を巻き付けて、上記ソレノイドの移動方向と反抗する方向に弾性力を付与させた構造にしている、防火扉用自動閉鎖装置。
【請求項２】
請求項１において、
上記ばね材は、線状または板状の弾性体で構成されている、防火扉用自動閉鎖装置。
【請求項３】
請求項１または２において、
上記ばね材の始端を、リンク部材のリンク軸に形成した溝部に嵌入れて固定している、防火扉用自動閉鎖装置。
【発明の詳細な説明】
【技術分野】
【０００１】
本発明は、防火扉を開放状態に保持し、火災発生時等には電気信号若しくは手動操作により閉鎖することが出来る防火扉用自動閉鎖装置の改良に関する。
【背景技術】
【０００２】
この種の防火扉を図６〜図８を参照して説明すると、
防火扉用自動閉鎖装置Ｒは、図６、図８に示したように、防火扉２０側に設けた係合金具４を拘束するフックプレート１０２を設けているが、このフックプレート１０２は、本体ハウジング１００の前面のほぼ中央に形成した切欠開口部１０１より露見させた構造になっている。
【０００３】
防火扉２０は、通常時は壁面に形成された凹所２１の適所に、図７に示すような、取付プレートＰ１、化粧プレートＰ２によって取付け固定され、自動閉鎖装置Ｒの本体ハウジング１００の切欠開口部１０１より露出させたフックプレート１０２で防火扉２０側に設けた係合金具４を拘束し、その状態で壁面の凹所２１に収容保持されており、火災発生時等に、本体ハウジング１００に内蔵したソレノイド（不図示）などを駆動してフックプレート１０２が係合金具４を開放すると、防火扉２０はドアクローザなどによって通路の開口部２２を閉鎖する構造となっている。
【０００４】
このような防火扉用自動閉鎖装置Ｒは、図７に示したような取付プレートＰ１を用いて、壁面に形成した凹所２１の適所に本体ハウジング１００を埋め込み、その上から化粧プレートＰ２を取付プレートＰ１にネジＰ２２で固定して取付けられており、化粧プレートＰ２の孔部Ｐ２１より、本体ハウジング１００の前面部を露出させ、フックプレート１０２とともに、切欠開口部１０１を露見させた構造となっている。
【０００５】
このような構造によれば、防火扉２０側に取り付けた係合金具４を、化粧プレートＰ２の孔部Ｐ２１より露見させた本体ハウジング１００のフックプレート１０２に押し込めば、後述するラッチ機構１０３（図９、図１０参照）が作動して、フックプレート１０２のフック部１０２ａで係合金具４を拘束し保持する一方、ソレノイドを駆動してラッチ機構１０３による保持を解除するか、或いは、防火扉２０を手で引っ張り、係合金具４をフックプレート１０２から引き抜くことでドアクローザを作動させて閉塞できる。
なお、下記特許文献１には、防火扉ではないが、リンク機構を備え、その支点にリンクバネを設けた扉が開示されているが、リンクバネでソレノイドの荷重を受けるような構造にはなっていない。
【特許文献１】実開平６−１８５８０号
【発明の開示】
【発明が解決しようとする課題】
【０００６】
図９、図１０は、従来の自動閉鎖装置の本体ハウジングの内部構造図、ラッチ機構のリンクばねの構造を示している。
これらの図において、１００は本体ハウジング、１０１は切欠開口部、１０２は係合金具１０４を拘束するフックプレートである。
【０００７】
また、１０３はラッチ機構であり、このラッチ機構１０３は、ラッチレバー１０３ａに、リンクばね１０７による弾性力を付勢したリンク部材１０３ｂ、１０３ｃを取り付けて構成されている。１０８は手動で開放させる荷重プレートであり、この荷重プレート１０８を通じて、フックプレート１０２の回動を阻止するための弾性力が、調整ネジ１０９で調整可能な自動開放力調整ばね１０５によって付与されている。１０６はラッチ機構１０３がラッチを解除したときにフックプレート１０２を開放位置まで移動させる弾性力を付勢させた開放ばね、Ｓ１はラッチ開放時のフックプレート１０２の回動支点、Ｓ２は手動開放時のフックプレート１０２回動支点、Ｓ３はラッチレバー１０３ａの回動支点であり、フックプレート１０２に形成した突出部１０２ａとラッチレバー１０３ａに形成した係止凹所１０３ｄとは、フックプレート１０２を支点Ｓ１を中心として時計方向に回動させたときには、さらに強く係止され回動を阻止するが、支点Ｓ２を中心として時計方向に回動させたときには、容易に係止が解除されるように、それらの形状が特定されている。
【０００８】
図１０は、ラッチ機構１０３のラッチプレート１０３ａのリンク部材１０３ｂ，１０３ｃに作用させたリンクばね構造を示している。ここで、リンクばね１０７に着目すると、このようなリンクばね１０７は、防火扉２０の閉鎖時に、ソレノイド（不図示）による荷重や、係合金具４を引っ張ったときに、高荷重や衝撃荷重が加わるが、２つのリンク部材１０３ｂ，１０３ｃに、線状ばね１０７を引っ掛けた、図１０に示したような構造では、ソレノイドを駆動して、リンク部材１０３ｂ，１０３ｃを可動させたときに、ばね１０７が瞬間的にリンク部材１０３ｂ、１０３ｃから離れて、ラッチ誤動作を起こすことがある。
それを防止するためには、弾性力の大きいリンクばねを使用しなければならないが、その場合、そのばね力に逆らってリンク部材を可動させるソレノイドも大型化する必要があった。
【０００９】
本発明は、このような事情を考慮して提案されたもので、その目的は、防火扉を閉鎖する際の高荷重や衝撃荷重にも耐えることができ、動作の安定性や高寿命化が図れる防火扉用自動閉鎖装置を提供することにある。
【課題を解決するための手段】
【００１０】
上記目的を達成するために、本発明の請求項１では、防火扉に設けた係合金具を拘束するフックプレートと、このフックプレートで係合金具を拘束した状態に保持するため、バネを作用させたリンク部材を設けたラッチレバーを有したラッチ機構とを備えた防火扉用自動閉鎖装置において、リンク部材は、それらのリンク軸に、ばね材を巻き付けて、上記ソレノイドの移動方向と反抗する方向に弾性力を付与させた構造にした防火扉用自動閉鎖装置を提案している。
【００１１】
請求項２では、請求項１において、ばね材は、線状または板状の弾性体で構成されている。
【００１２】
請求項３では、請求項１において、ばね材の始端を、リンク部材のリンク軸に形成した溝部に嵌入れて固定させている。
【発明の効果】
【００１３】
本発明の請求項１〜３によれば、リンク部材のリンク軸にばね材を巻き付けているので、防火扉の閉鎖時に高荷重や衝撃荷重が加わってもばね材がリンク部材から外れることがなく、誤動作を起こしにくい。
また、ばね材の弾性力を従来のものに比べて増大させる構造ではないため、ソレノイドを大型化させる必要はなく、そのため、動作の安定した装置を低コストで提供することができる。
【００１４】
請求項２では、請求項１において、ばね材を、線状あるいは板状の弾性材で構成しているので、構造が簡単であり、製造コストも低減される。
【００１５】
請求項３によれば、ばね部材の始端をリンク部材のリンク軸に形成した溝部に嵌入れて固定しているので、よりリンク部材から離れにくく、安定した動作が期待できる。
【発明を実施するための最良の形態】
【００１６】
以下に、本発明の実施の形態について、添付図とともに説明する。
【実施例１】
【００１７】
図１、図２は、いずれも本発明の要部を示したラッチ機構の部分拡大図である。
本発明は、図１、図２によく示されているように、フックプレート２を係止させるラッチ機構３のラッチレバー３０のリンク部材のリンクばね構造に特徴を有したものである。
このようなリンクばねは、フックプレート２とラッチレバー３０との係止が解除されたときに、ラッチレバー３０を、ラッチの解除を保持させる方向に弾性力を付与するとともに、ソレノイドが駆動されたときに、リンク部材３１，３２に作用する力に反抗する弾性力を付与するものである。
【００１８】
図１では、ハウジング本体１内に設けたリンク部材３１，３２の各軸３１ａ，３１ｂ，３２ａに、線状の弾性体を巻き付けることで、ばね材７がリンク軸３１ａ，３１ｂ，３２ａから容易に抜け出さない構造にしており、１本の線状のばね材をリンク部材３１，３２の孔部より突出させたリンク軸３１ａに巻きつけて、その両端のリンク軸３１ｂ，３２ａには、ばね材の終端を折り曲げて固定している。
【００１９】
図２では、リンク部材３１のリンク軸３１ａに巻きつけたバネ材７の始端を、リンク軸３１ｂに形成した溝部３１ｃに嵌入れ、それぞれの端部を溝部３１ｃより突出させて固定している。しかし、溝部３１ｃより突出させたばね材７の端部を折り曲げたり、ばね材７よりも大きい抜止突出部を形成してもよい。
【００２０】
図５は、防火扉用自動閉鎖装置の本体ハウジングの外観図である。
本体ハウジング１は、中央に形成した切欠部開口部１ｂには、内側に向けて略直角に折り曲がる複数の遮蔽片１ｄが形成され、これらの遮蔽片１ｄの間からフックプレート２が外側に臨むように配設されている。したがって、このような遮蔽片１ｄを設けたものでは、切欠開口部１ｂの隙間からゴミなどが本体ハウジング１内に進入することが防止でき、また、防火扉２０に設けた係合金具４をフックプレート２に押し付けたときにも、係合金具４が切欠開口部１１の縁端にぶつかって傷を付けることもなく、衝撃も緩和される。
本体ハウジング１の内部は、図３に示したようにフックプレート２と、ラッチ機構３とを備えており、図４（ａ）、（ｂ）は、ラッチ時の状態、ラッチ解除時の状態を模式的に示している。
【００２１】
フックプレート２、ラッチ機構３の基本的な構造と、その基本動作を以下、説明する。
図３において、２はフックプレートであり、ラッチ機構３のラッチレバー３０に形成された突出部３ａと、防火扉側に設けた係合金具４を拘束するフック部２ｂとを備えている。
３はラッチ機構であり、フックプレート２の突出部２ａに係止させる係止凹所３ａを有したラッチレバー３０と、このラッチレバー３０を可動させるリンク部材３１，３２とを有しており、リンク部材３１，３２には、前述したリンクばね７が設けられている。
また、５は荷重プレート８を通じて、固定されたフックプレート２の回動を阻止するための弾性力を付勢させた自動開放力調整ばね、６はラッチ機構３がラッチを解除したときにフックプレート２を開放位置まで移動させる弾性力を付勢させた開放ばねである。
フックプレート２は、ラッチ開放時の回動支点Ｓ１、手動開放時の回動支点Ｓ２を中心として回動可能になっており、ラッチレバー３０は回動支点Ｓ３を中心にして回転可能になっている。
また、フックプレート２に形成した突出部２ａとラッチレバー３０に形成した係止凹所３ａは、フックプレート２を回動支点Ｓ１を中心として時計方向に回動させたときには、さらに強く係止されて回動は阻止されるが、回動支点Ｓ２を中心として時計方向に回動させたときには、容易に係止が解除されるように、それらの形状が特定されており、自動開放力調整ばね５の弾性力は、ばね調整ネジ９により手動調整が可能になっている。
【００２２】
ついで、図４（ａ），図４（ｂ）を参照して、フックプレートとラッチ機構の基本的な構造と動作を説明する。
フックプレート２のフック部２ｂで係合金具４を拘束し、防火扉２０を収納状態に保持しているときは、図４（ａ）のような状態になっている。
すなわち、この状態では、ラッチ開放支点Ｓ１を支点とし、ばね６の弾性力ｆ１で常時時計方向への回動力が付与されているフックプレート２の突出部２ａは、ラッチ機構３のラッチレバー３０の係止凹所３ａに係止され回動不能になっている。
【００２３】
この状態において、ソレノイド（不図示）が駆動されると、リンク部材３１，３２を、リンクばね７の弾性力ｆ２に抗して下方向に移動させる（図ではＦ’に移動させる）。
すると、ラッチレバー３０は、回動支点Ｓ３を中心として、フックプレート２から遠ざかり（図では破線で示す）、そのためラッチレバー３０の凹所３ａは、フックプレート２の突出部２ａから外れる。この状態では、リンク部材３１，３２は、リンクばね７の弾性力ｆ２によって、リンク部材３１，３２が折り曲がるように移動し、フックプレート２は、開放ばね６の弾性力ｆ１と、自動開放力調整ばね５の弾性力ｆ３とがバランスする開放位置まで支点Ｓ１を中心として時計方向に回動して、ラッチ解除の状態となり（図４（ｂ）、係合金具４はフックプレート２のフック部２ｂから開放されるので、防火扉は閉鎖される。
【００２４】
以上は、ソレノイドを駆動して防火扉を閉鎖する動作であるが、このような防火扉用自動閉鎖装置Ｒは、停電時などのときも防火扉を安全に動作させるため防火扉２０を手動で引っ張っても閉鎖できるようになっている。
【００２５】
その場合の動作を説明すると、防火扉２０を矢印Ｆの方向に引っ張って、係合金具４をフックプレート２から引き出す力を加えると、フックプレート２には、支点Ｓ１、支点Ｓ２を中心とした回転モーメントが加わる。ところが、フックプレート２の突出部２ａとラッチレバー３０の係止凹所３ａとは、支点Ｓ１を中心した回動は阻止するが、支点Ｓ２を中心とした回動は許容するので、フックプレート２を荷重プレート８に加えられる手動開放調整ばね５の弾性力ｆ３に抗する強い力Ｆで引っ張れば、フックプレート２の突出部２ａは、ラッチレバー３０の係止凹所３ａから外れる。
【００２６】
その結果、リンク部材３１，３２は、リンクばね７の弾性力ｆ２によって、リンク３１，３２が折り曲がるように可動し、フックプレート２は、開放ばね６の弾性力ｆ１と、自動開放力調整ばね５の弾性力ｆ３とがバランスする位置まで支点Ｓ１を中心として時計方向に回動して、ラッチ解除の状態となり、この状態で、フックプレート２は、フック部２ｂで拘束していた係合金具４を開放して、防火扉２０は、閉鎖される。
【００２７】
以上のような防火扉用自動閉鎖装置では、リンクばね７には、防火扉２０を開放させるときに、ソレノイドまたは手動操作による高荷重がかかるが、本発明では、ばね材７をリンク軸３１ａ，３１ｂ，３２ａに巻き付けた構造となっているため、そのような高荷重や衝撃荷重を受けた場合にも、ばね材７がリンク部材３１，３２から外れてしまうということはなく、誤動作が生じにくい構造である。
【図面の簡単な説明】
【００２８】
【図１】本発明の要部である防火扉用自動閉鎖装置に収容された、フックプレートとラッチ機構のリンクばね構造の一例を示す部分斜視図。
【図２】リンクばね構造の他例を示す部分拡大図。
【図３】防火扉用自動閉鎖装置の本体ハウジングの内部構造を示す図。
【図４】（ａ），（ｂ）は、それぞれが、ラッチ、ラッチ解除の状態を示すフックプレートとラッチ機構の基本構造を模式的に示す図。
【図５】防火扉用自動閉鎖装置の外観を示す図。
【図６】防火扉の説明図。
【図７】防火扉用自動閉鎖装置の分解斜視図。
【図８】自動閉鎖装置の外観を示す図。
【図９】従前の自動閉鎖装置の内部構造を示す図。
【図１０】従前の防火扉用自動閉鎖装置におけるフックプレートとラッチ機構のリンクばね構造を示す図。
【符号の説明】
【００２９】
Ｒ    防火扉用自動閉鎖装置
１    本体ハウジング
２    フックプレート
２ａ    突出部
２ｂ    フック部
３    ラッチ機構
３ａ    係止凹所
３０    ラッチレバー
３１，３２    リンク部材
３１ａ，３１ｂ，３２ａ    リンク軸
３１ｃ    溝部
４    係合金具
５    自動開放力調整ばね
６    開放ばね
７    リンクばね
Ｓ１，Ｓ２，Ｓ３    回動支点
【図１】
2005320824.tif 000003
【図２】
2005320824.tif 000004
【図３】
2005320824.tif 000005
【図４】
2005320824.tif 000006
【図５】
2005320824.tif 000007
【図６】
2005320824.tif 000008
【図７】
2005320824.tif 000009
【図８】
2005320824.tif 000010
【図９】
2005320824.tif 000011
【図１０】
2005320824.tif 000012